(57)【要約】【課題】カードと携帯端末との組合せについて認証を行うことである。【解決手段】ハンディ端末３０は、ＮＦＣカード５０のカードＩＤを読み取り、読み取られたカードＩＤが、許可されているカードＩＤとして記憶されているか否かを判別し、記憶されている場合に、カードＩＤ、端末ＩＤ、及びカードＩＤを許可する旨のＩＤ許可フラグをＮＦＣメモリ３６３に記憶する。管理ＰＣ１０は、ＮＦＣメモリ３６３からカードＩＤ、端末ＩＤ及びＩＤ許可フラグを読み取り、ＩＤ許可フラグが許可を示し且つカードＩＤ及び端末ＩＤの組合せが、許可されている組合せとして記憶されているか否かを判別し、記憶されている場合に、ＮＦＣメモリ３６３に動作許可の管理装置許可フラグを書き込む。ハンディ端末３０は、ＮＦＣメモリ３６３の管理装置許可フラグに応じて、自機の動作の許可又は不許可を設定する。【選択図】図１
2011008458.tif 000002
【特許請求の範囲】
【請求項１】
携帯端末と、当該携帯端末を管理する管理装置と、を備え、
前記携帯端末は、
非接触通信により、カードＩＤが記憶されたＮＦＣカードから情報を読み取る又は書き込む第１のＮＦＣリーダライタ手段と、
前記管理装置から情報を読み取り及び書き込み可能なＮＦＣメモリと、
使用可能なＮＦＣカードのカードＩＤを記憶する第１の記憶手段と、
前記第１のＮＦＣリーダライタ手段によりＮＦＣカードのカードＩＤを読み取り、当該読み取られたカードＩＤが前記第１の記憶手段に記憶されているか否かを判別し、当該カードＩＤが記憶されている場合に、当該カードＩＤ、自機の端末ＩＤ、及び前記カードＩＤを許可する旨のＩＤ許可フラグを前記ＮＦＣメモリに記憶し、当該ＮＦＣメモリに記憶される自機の動作の許可又は不許可を示す管理装置許可フラグに応じて、自機の動作を許可又は不許可に設定する第１の制御手段と、を備え、
前記管理装置は、
非接触通信により、前記第１の非接触通信用メモリから情報を読み取る又は書き込む第２のＮＦＣリーダライタ手段と、
使用可能なＮＦＣカードのカードＩＤと端末装置の端末ＩＤとの組合せを記憶する第２の記憶手段と、
前記第２のＮＦＣリーダライタ手段により前記ＮＦＣメモリからカードＩＤ、端末ＩＤ及びＩＤ許可フラグを読み取り、当該読み取られたＩＤ許可フラグが許可を示し、且つ前記読み取られたカードＩＤ及び端末ＩＤの組合せが前記第２の記憶手段に記憶されているか否かを判別し、ＩＤ許可フラグが許可であり且つカードＩＤ及び端末ＩＤの組合せが記憶されている場合に、前記第２のＮＦＣリーダライタ手段により前記ＮＦＣメモリに前記携帯端末の動作の許可の旨の管理装置許可フラグを書き込み、ＩＤ許可フラグが許可でない又はカードＩＤ及び端末ＩＤの組合せが記憶されていない場合に、前記第２のＮＦＣリーダライタ手段により前記ＮＦＣメモリに前記携帯端末の動作の不許可の旨の管理装置許可フラグを書き込む第２の制御手段と、を備える携帯端末管理システム。
【請求項２】
前記第２の記憶手段は、カードＩＤ及び端末ＩＤの組合せと、当該端末ＩＤの端末装置が動作中であるか否かを示す端末状況情報とを対応付けて記憶し、
前記第２の制御手段は、前記管理装置許可フラグの動作許可への変更に応じて、許可されたカードＩＤ及び端末ＩＤの前記端末状況情報を動作中に変更する請求項１に記載の携帯端末管理システム。
【請求項３】
前記第２の制御手段は、携帯端末の動作終了後に、前記第２のＮＦＣリーダライタ手段により前記ＮＦＣメモリからカードＩＤ及び端末ＩＤを読み取り、当該読み取られたカードＩＤ及び端末ＩＤの組合せに対応する前記端末状況情報を動作中でない旨に変更し、前記第２のＮＦＣリーダライタ手段により前記ＮＦＣメモリに記憶されている管理装置許可フラグに前記携帯端末の動作の許可の未設定の旨を書き込む請求項２に記載の携帯端末管理システム。
【請求項４】
前記管理装置は、表示手段を備え、
前記第２の制御手段は、前記第２の記憶手段に記憶されている前記端末状況情報を前記表示手段に表示する請求項２又は３に記載の携帯端末管理システム。
【発明の詳細な説明】
【技術分野】
【０００１】
本発明は、非接触ＩＣ（Integrated Circuit）カードを読み取る携帯端末を管理する携帯端末管理システムに関する。
【背景技術】
【０００２】
従来、リーダライタとの間で非接触通信が可能な非接触ＩＣカードが知られている。非接触ＩＣカードは、コイルアンテナと、各種情報が記憶可能なメモリと、を備える。コイルアンテナをリーダライタに近づけた状態で、リーダライタにより非接触ＩＣカードのメモリに記憶された情報が読み取られ、あるいはこのメモリに情報が書き込まれる。
【０００３】
また、コンビニエンスストア、スーパーマーケット等の小売業の店舗において使用され、各種情報の入力及び記憶の機能や、商品等に付されたバーコードを読み取る機能を有するハンディ端末（ＨＴ：Handy Terminal）が知られている。また、商品に付されたＲＦ (Radio Frequency)タグの情報読み取り及び情報書き込みの機能を有するハンディ端末も知られている。
【０００４】
大型店舗等においては、複数のハンディ端末が複数の店員に同時に使用される。このため、各ハンディ端末に、ハンディ端末の識別情報を含むバーコードシール又はＲＦタグシールが貼られ、ハンディ端末管理用の管理ＰＣ（Personal Computer）に接続されたスキャナ又はリーダライタにより、バーコードシール又はＲＦタグシールの情報が読み取られる。この読み取りにより、ハンディ端末の識別情報が管理ＰＣに取得される。そして、管理ＰＣにより、どのハンディ端末が使用されているかの持ち出し管理がなされていた。
【０００５】
また、非接触ＩＣカードの読み取り機能を有する携帯端末において、店舗側のリーダライタのＩＤを読み取り、読み取った店舗のＩＤと、現在時間と、が使用許可されているものである場合に、携帯端末の使用許可のロックを解除する構成が知られている（例えば、特許文献１参照）。この構成によれば、使用許可された時間及び店舗において、携帯端末をユーザに使用させることができる。
【０００６】
また、ＩＣカードの読み取り機能を有する携帯端末において、ログイン時に、ログイン画面のＵＲＬ（Uniform Resource Locator）、社員証等のＩＣカードの使用ＵＩＭ（User Identity Module）、ログインＩＤ及びパスワードを紐付けて登録した後、再ログイン時に、ログイン画面のＵＲＬ及び使用ＵＩＭに対応する登録済のＩＤ及びパスワードから、ＩＣカードに記憶されたＩＤ及びパスワードを検索してＩＣカード認証する構成が知られている（例えば、特許文献２参照）。
【先行技術文献】
【特許文献】
【０００７】
【特許文献１】特開２００８−２７６３６３号公報
【特許文献２】特開２００８−９７２１０号公報
【発明の概要】
【発明が解決しようとする課題】
【０００８】
しかし、従来のハンディ端末（携帯端末）の持ち出し管理の構成と、従来の使用可能時間及び店舗で携帯端末を使用許可する構成とでは、携帯端末を使用するユーザの認証を行っていなかった。このため、使用中のユーザが正規のユーザであるか否かの管理をすることができなかった。また、現在どのユーザがどのハンディ端末を使用しているかの管理をすることができなかった。
【０００９】
また、従来のログインＩＤ及びパスワードを自動入力する構成では、ＩＣカード認証によりユーザ認証を行うことができるが、携帯端末とそのユーザ（ユーザに対応するＩＣカード）との組合せについて、ユーザにその携帯端末の使用許可を与える（認証する）ことができなかった。
【００１０】
本発明の課題は、カードと携帯端末との組合せについて認証を行うことである。
【課題を解決するための手段】
【００１１】
上記課題を解決するために、請求項１に記載の発明の携帯端末管理システムは、
携帯端末と、当該携帯端末を管理する管理装置と、を備え、
前記携帯端末は、
非接触通信により、カードＩＤが記憶されたＮＦＣカードから情報を読み取る又は書き込む第１のＮＦＣリーダライタ手段と、
前記管理装置から情報を読み取り及び書き込み可能なＮＦＣメモリと、
使用可能なＮＦＣカードのカードＩＤを記憶する第１の記憶手段と、
前記第１のＮＦＣリーダライタ手段によりＮＦＣカードのカードＩＤを読み取り、当該読み取られたカードＩＤが前記第１の記憶手段に記憶されているか否かを判別し、当該カードＩＤが記憶されている場合に、当該カードＩＤ、自機の端末ＩＤ、及び前記カードＩＤを許可する旨のＩＤ許可フラグを前記ＮＦＣメモリに記憶し、当該ＮＦＣメモリに記憶される自機の動作の許可又は不許可を示す管理装置許可フラグに応じて、自機の動作を許可又は不許可に設定する第１の制御手段と、を備え、
前記管理装置は、
非接触通信により、前記第１の非接触通信用メモリから情報を読み取る又は書き込む第２のＮＦＣリーダライタ手段と、
使用可能なＮＦＣカードのカードＩＤと端末装置の端末ＩＤとの組合せを記憶する第２の記憶手段と、
前記第２のＮＦＣリーダライタ手段により前記ＮＦＣメモリからカードＩＤ、端末ＩＤ及びＩＤ許可フラグを読み取り、当該読み取られたＩＤ許可フラグが許可を示し、且つ前記読み取られたカードＩＤ及び端末ＩＤの組合せが前記第２の記憶手段に記憶されているか否かを判別し、ＩＤ許可フラグが許可であり且つカードＩＤ及び端末ＩＤの組合せが記憶されている場合に、前記第２のＮＦＣリーダライタ手段により前記ＮＦＣメモリに前記携帯端末の動作の許可の旨の管理装置許可フラグを書き込み、ＩＤ許可フラグが許可でない又はカードＩＤ及び端末ＩＤの組合せが記憶されていない場合に、前記第２のＮＦＣリーダライタ手段により前記ＮＦＣメモリに前記携帯端末の動作の不許可の旨の管理装置許可フラグを書き込む第２の制御手段と、を備える。
【００１２】
請求項２に記載の発明は、請求項１に記載の携帯端末管理システムにおいて、
前記第２の記憶手段は、カードＩＤ及び端末ＩＤの組合せと、当該端末ＩＤの端末装置が動作中であるか否かを示す端末状況情報とを対応付けて記憶し、
前記第２の制御手段は、前記管理装置許可フラグの動作許可への変更に応じて、許可されたカードＩＤ及び端末ＩＤの前記端末状況情報を動作中に変更する。
【００１３】
請求項３に記載の発明は、請求項２に記載の携帯端末管理システムにおいて、
前記第２の制御手段は、携帯端末の動作終了後に、前記第２のＮＦＣリーダライタ手段により前記ＮＦＣメモリからカードＩＤ及び端末ＩＤを読み取り、当該読み取られたカードＩＤ及び端末ＩＤの組合せに対応する前記端末状況情報を動作中でない旨に変更し、前記第２のＮＦＣリーダライタ手段により前記ＮＦＣメモリに記憶されている管理装置許可フラグに前記携帯端末の動作の許可の未設定の旨を書き込む。
【００１４】
請求項４に記載の発明は、請求項２又は３に記載の携帯端末管理システムにおいて、
前記管理装置は、表示手段を備え、
前記第２の制御手段は、前記第２の記憶手段に記憶されている前記端末状況情報を前記表示手段に表示する。
【発明の効果】
【００１５】
本発明によれば、ＮＦＣカードと携帯端末との組合せについて認証を行うことができる。
【図面の簡単な説明】
【００１６】
【図１】本発明に係る実施の形態のハンディ端末管理システムの構成を示すブロック図である。
【図２】管理ＰＣの機能構成を示すブロック図である。
【図３】ハンディ端末の機能構成を示すブロック図である。
【図４】（ａ）は、ＮＦＣカードに記憶されるＮＦＣカード情報の構成を示す図である。（ｂ）は、ハンディ端末に記憶されるカードＩＤ許可ファイルの構成を示す図である。（ｃ）は、ハンディ端末に記憶されるＮＦＣ情報の構成を示す図である。（ｄ）は、管理ＰＣに記憶されるカードＩＤ・ハンディ端末ＩＤファイルの構成を示す図である。
【図５】ハンディ端末で実行されるハンディ端末動作許可処理を示すフローチャートである。
【図６】管理ＰＣで実行されるハンディ端末管理処理を示すフローチャートである。
【図７】ハンディ端末で実行されるハンディ端末使用終了処理を示すフローチャートである。
【図８】管理ＰＣで実行されるハンディ端末使用終了管理処理を示すフローチャートである。
【発明を実施するための形態】
【００１７】
以下、添付図面を参照して本発明に係る実施の形態を詳細に説明する。なお、本発明は、図示例に限定されるものではない。
【００１８】
先ず、図１〜図３を参照して、本実施の形態の装置構成を説明する。図１に、本実施の形態のハンディ端末管理システム１の構成を示す。
【００１９】
本実施の形態のハンディ端末管理システム１は、ユーザ使用によるハンディ端末３０の動作を管理するシステムである。本実施の形態では、一例として、ある企業Ａに設置されたハンディ端末管理システム１において、その企業Ａに所属するユーザとしての社員のハンディ端末３０の使用を管理する構成を説明する。図１に示すように、本実施の形態のハンディ端末管理システム１は、管理装置としての管理ＰＣ（Personal Computer）１０と、携帯端末としてのハンディ端末３０と、ＮＦＣ（Near Field Communication）カード５０と、を備える。
【００２０】
ＮＦＣとは、非接触ＩＣカードの近距離無線通信の規格の一つである。ＮＦＣのチップは、非接触ＩＣカードとしても、非接触ＩＣカードのリーダライタとしても動作可能である。
【００２１】
管理ＰＣ１０は、企業Ａの社員のハンディ端末３０の使用を管理するサーバ装置としてのＰＣである。管理ＰＣ１０は、ＮＦＣアンテナ２２を備える。管理ＰＣ１０は、ＮＦＣアンテナ２２を介してハンディ端末３０と非接触通信を行う。
【００２２】
ハンディ端末３０は、企業Ａに所属する社員で共用のハンディ端末であり、管理者により許可された少なくとも一人の社員により、商品の倉庫等で使用される。ハンディ端末３０は、各種情報の入力及び記憶、（商品、商品棚等に付された）バーコードの読み取り、ＮＦＣカード若しくはＮＦＣタグの情報の読み取り等の機能を有する。
【００２３】
ハンディ端末３０は、ＮＦＣアンテナ３６１及びＮＦＣメモリ３６３を備える。ハンディ端末３０は、ＮＦＣアンテナ３６１を介してハンディ端末３０及びＮＦＣカード５０と非接触通信を行う。また、管理ＰＣ１０は、ハンディ端末３０との非接触通信により、ＮＦＣメモリ３６３の情報の読み取り及び書き込みを行う。
【００２４】
ＮＦＣアンテナ３６１及びＮＦＣメモリ３６３を含むＮＦＣチップとしての後述するＮＦＣ部３６は、ＮＦＣの非接触ＩＣカードとして、又はＮＦＣのリーダライタとして、動作する。
【００２５】
ＮＦＣカード５０は、社員毎に異なる社員証等としてのＩＤカードである。ＮＦＣカード５０は、ＮＦＣアンテナ５２及びＮＦＣメモリ５１を備える。ＮＦＣカード５０は、ＮＦＣアンテナ５２を介してハンディ端末３０と非接触通信を行う。また、ハンディ端末３０は、ＮＦＣカード５０との非接触通信により、ＮＦＣメモリ５１の情報の読み取り及び書き込みを行う。
【００２６】
また、ＮＦＣカード５０は、ＮＦＣの非接触ＩＣカードとしてのみ動作するものである。また、ＮＦＣメモリ５１には、後述するＮＦＣカードＩＤ６１が記憶されている。
【００２７】
図１において、ハンディ端末３０、ＮＦＣカード５０は、それぞれ１台づつで表されているが、それぞれ、複数あるものとする。なお、ハンディ端末３０、ＮＦＣカード５０は、それぞれ少なくとも１台であればよい。
【００２８】
次いで、図２及び図３を用いて、管理ＰＣ１０及びハンディ端末３０の内部構成を説明する。図２に、管理ＰＣ１０の機能構成を示す。図３に、ハンディ端末３０の機能構成を示す。
【００２９】
図２に示すように、管理ＰＣ１０は、第２の制御手段としてのＣＰＵ（Central Processing Unit）１１と、操作部１２と、ＲＡＭ（Random Access Memory）１３と、表示手段としての表示部１４と、第２の記憶手段としての記憶部１５と、Ｉ／Ｆ（InterFace）部１６と、通信部１７と、ＮＦＣリーダライタ２０と、を備える。ＣＰＵ１１、操作部１２、ＲＡＭ１３、表示部１４、記憶部１５、Ｉ／Ｆ部１６及び通信部１７は、バス１８を介して互いに接続されている。
【００３０】
ＣＰＵ１１は、管理ＰＣ１０の各部を制御する。ＣＰＵ１１は、記憶部１５に記憶されているシステムプログラム及びアプリケーションプログラムのうち、指定されたプログラムを読み出してＲＡＭ１３に展開し、ＲＡＭ１３に展開されたプログラムとの協働で、各種処理を実行する。
【００３１】
ＣＰＵ１１は、ハンディ端末管理プログラムに従い、ハンディ端末３０のＮＦＣメモリ３６３から、ハンディ端末３０で許可されたＮＦＣカードＩＤ、ハンディ端末ＩＤ及びＩＤ許可フラグを読み取り、ＩＤ許可フラグが許可を示し且つＮＦＣカードＩＤ及びハンディ端末ＩＤの組合せが、記憶部１５に記憶され許可されているＮＦＣカードＩＤ及びハンディ端末ＩＤの組合せにあるか否かを判別する。そして、ＣＰＵ１１は、ＩＤ許可フラグが許可を示しＮＦＣカードＩＤ及びハンディ端末ＩＤの組合せが記憶されている場合に、ＮＦＣメモリ３６３に使用許可の旨の管理ＰＣ許可フラグを書き込み、このＮＦＣカードＩＤ及びハンディ端末ＩＤに対応して使用中である旨にハンディ端末使用状況ファイルの使用中フラグを更新し、それ以外の場合に、ＮＦＣメモリ３６３に使用不許可の旨の管理ＰＣ許可フラグを書き込む。
【００３２】
また、ＣＰＵ１１は、ハンディ使用終了端末管理プログラムに従い、ハンディ端末３０の使用終了後に、ＮＦＣメモリ３６３から、ＮＦＣカードＩＤ及びハンディ端末ＩＤを読み取り、このＮＦＣカードＩＤ及びハンディ端末ＩＤに対応してハンディ端末使用状況ファイルの使用中フラグをリセットし、ＮＦＣメモリ３６３に未設定の旨の管理ＰＣ許可フラグを書き込む。
【００３３】
操作部１２は、各種キー操作入力を受け付けるキーボードを備え、キー操作入力に応じた操作情報をＣＰＵ１１に出力する。また、操作部１２は、マウス等のポインティングデバイスを備え、位置情報の操作入力を受け付ける構成としてもよい。
【００３４】
ＲＡＭ１３は、情報を一時的に記憶する揮発性のメモリであり、各種データ及び各種プログラムを格納するワークエリアを有する。
【００３５】
表示部１４は、ＬＣＤ（Liquid Crystal Display）等により構成され、ＣＰＵ１１から入力される表示情報に応じて各種表示を行う。
【００３６】
記憶部１５は、ＨＤＤ（Hard Disk Drive）等により構成され、各種データ及び各種プログラムを読み出し及び書き込み可能に記憶する。記憶部１５には、後述するカードＩＤ・ハンディ端末ＩＤファイル９０、ハンディ端末使用状況ファイル１００、ハンディ端末管理プログラム及びハンディ端末使用終了管理プログラムが記憶されている。
【００３７】
Ｉ／Ｆ部１６は、各種機器が接続可能で、接続された機器との通信を仲介する、ＵＳＢ（Universal Serial Bus）コネクタ等の接続部である。Ｉ／Ｆ部１６は、ＮＦＣリーダライタ２０に接続されている。
【００３８】
通信部１７は、ネットワークカード等で構成され、インターネット等の通信ネットワークに接続されている。通信部１７は、通信ネットワーク上の機器と通信を行う。
【００３９】
ＮＦＣリーダライタ２０は、ＣＰＵ１１の制御に従い、外部機器（ハンディ端末３０）と非接触通信を行い、当該外部機器のメモリ（ＮＦＣメモリ３６３）の情報の読み取り及び書き込みを行う。ＮＦＣリーダライタ２０は、第２のＮＦＣリーダライタ手段としてのＮＦＣリーダライタ部２１と、ＮＦＣアンテナ２２と、を有する。
【００４０】
ＮＦＣアンテナ２２は、コイルアンテナ等である。ＮＦＣリーダライタ部２１は、ＮＦＣアンテナ２２を介して、電磁界を介するＮＦＣの非接触通信により、外部機器（ハンディ端末３０）に電源供給するとともに、当該外部機器に備えられたＮＦＣメモリ（ＮＦＣメモリ３６３）の情報の読み書きを行う。
【００４１】
図３に示すように、ハンディ端末３０は、第１の制御手段としてのＣＰＵ３１と、操作部３２と、ＲＡＭ３３と、表示部３４と、ＲＯＭ（Read Only Memory）３５と、ＮＦＣ部３６と、第１の記憶手段としてのフラッシュメモリ３７と、スキャナ部３８と、Ｉ／Ｆ部３９と、を備える。ハンディ端末３０の各部は、バス４０を介して接続されている。
【００４２】
ＣＰＵ３１は、ハンディ端末３０の各部を制御する。ＣＰＵ３１は、ＲＯＭ３５に記憶されているシステムプログラム及びアプリケーションプログラムのうち、指定されたプログラムを読み出してＲＡＭ３３に展開し、ＲＡＭ３３に展開されたプログラムとの協働で、各種処理を実行する。
【００４３】
ＣＰＵ３１は、ハンディ端末動作許可プログラムに従い、ＮＦＣカード５０のＮＦＣカードＩＤを読み取り、当該読み取られたＮＦＣカードＩＤがフラッシュメモリ３７の使用許可するＮＦＣカードＩＤに記憶されているか否かを判別し、ＮＦＣカードＩＤが記憶されている場合に、ＮＦＣカードＩＤ、自機のハンディ端末ＩＤ、及び前記ＮＦＣカードＩＤを許可する旨のＩＤ許可フラグをＮＦＣメモリ３６３に記憶する。そして、ＣＰＵ３１は、管理ＰＣ１０により、ＮＦＣメモリ３６３に記憶されているＮＦＣカードＩＤ及びハンディ端末ＩＤが許可されているか否かを示す管理ＰＣ許可フラグが書き込まれた後、この管理ＰＣ許可フラグに応じて、自機の動作（使用）の許可又は不許可を設定する。
【００４４】
ＣＰＵ３１は、ハンディ端末使用終了プログラムに従い、ハンディ端末３０の使用終了後に、管理ＰＣ１０から使用終了に対応する未設定の管理ＰＣ許可フラグがＮＦＣメモリ３６３に書き込まれるのを待つ。
【００４５】
操作部３２は、各種キーによる操作入力を受け付けるキーパッドを備え、キー操作入力に応じた操作情報をＣＰＵ３１に出力する。操作部３２の各種キーは、数字、文字の入力キー、各種機能キー、スキャナ部３８によるスキャン実行のトリガキー、電源キー等を含む。
【００４６】
ＲＡＭ３３は、ＲＡＭ１３と同様のメモリである。表示部３４は、ＬＣＤ、ＥＬＤ（Electro Luminescent Display）等により構成され、ＣＰＵ３１から入力される表示情報に応じて各種表示を行う。
【００４７】
ＲＯＭ３５は、各種情報を記憶している読み出し専用のメモリである。ＲＯＭ３５には、自機のハンディ端末３０の識別情報であるハンディ端末ＩＤ、ハンディ端末動作許可プログラム及びハンディ端末使用終了プログラムが記憶されている。
【００４８】
ＮＦＣ部３６は、ＮＦＣアンテナ３６１と、第１のＮＦＣリーダライタ手段としてのＮＦＣリーダライタ部３６２と、ＮＦＣメモリ３６３と、を有する。
【００４９】
ＮＦＣアンテナ３６１は、コイルアンテナ等である。ＮＦＣリーダライタ部３６２は、ＮＦＣアンテナ３６１を介して、電磁界を介するＮＦＣの非接触通信により、外部機器（ＮＦＣカード５０）に電源供給するとともに、当該外部機器に備えられたＮＦＣメモリ（ＮＦＣメモリ５１）の情報の読み書きを行う。
【００５０】
ＮＦＣメモリ３６３は、ＮＦＣアンテナ３６１を介する非接触通信により、通信先の機器（管理ＰＣ１０）からの信号に従い、ＮＦＣリーダライタ部３６２を介して情報が読み取り及び書き込みされるＮＦＣメモリである。ＮＦＣメモリ３６３には、後述するＮＦＣ情報８０が記憶される。
【００５１】
フラッシュメモリ３７は、情報を読み書き自在に記憶する半導体メモリである。フラッシュメモリ３７には、後述するカード許可ＩＤファイル７０が記憶されている。
【００５２】
スキャナ部３８は、発光部、受光部、ゲイン回路、２値化回路を備え、１次元のバーコードを読み取るスキャナ部である。スキャナ部３８において、発光部から出射されたレーザ光等の光束がバーコードに照射され、その反射光が受光部により受光されて電気信号に変換され、その電気信号がゲイン回路により増幅されて２値化回路により２値データに変換され、その２値データがＣＰＵ３１に出力される。ＣＰＵ３１において、スキャナ部３８から入力された２値データが、スキャンしたバーコードが含む情報に変換されて取得される。スキャナ部３８は、１次元バーコード、２次元コードの画像を撮影し、その撮影画像データを解析することにより、１次元バーコード、２次元コードに含まれる情報を取得するイメージスキャナとしてもよい。
【００５３】
Ｉ／Ｆ部３９は、所定機器と接続可能であり、接続された機器との通信を仲介する接続部である。Ｉ／Ｆ部３９は、例えば、ハンディ端末３０が載置されるクレードルに接続され、このクレードルを介して管理ＰＣ１０等の各種機器に通信接続される。
【００５４】
次に、図４を参照して、ＮＦＣカード５０、管理ＰＣ１０、ハンディ端末３０及びＮＦＣカード５０に記憶される情報を説明する。図４（ａ）に、ＮＦＣカード５０に記憶されるＮＦＣカードＩＤ６１の構成を示す。図４（ｂ）に、ハンディ端末３０に記憶されるカード許可ＩＤファイル７０の構成を示す。図４（ｃ）に、ハンディ端末３０に記憶されるＮＦＣ情報８０の構成を示す。図４（ｄ）に、管理ＰＣ１０に記憶されるカードＩＤ・ハンディ端末ＩＤファイル９０の構成を示す。図４（ｅ）に、管理ＰＣ１０に記憶されるハンディ端末使用状況ファイル１００の構成を示す。
【００５５】
ＮＦＣカード５０のＮＦＣメモリ５１には、図４（ａ）に示すＮＦＣカードＩＤ６１が記憶されている。ＮＦＣカードＩＤ６１は、ＮＦＣカード５０毎にユニークな識別情報である。ＮＦＣカードＩＤ６１は、社員証としてのＮＦＣカード５０の所有者である社員の社員番号又は社員番号に対応する番号であるものとする。
【００５６】
また、ハンディ端末３０のフラッシュメモリ３７には、図４（ｂ）に示すカード許可ＩＤファイル７０が記憶される。カード許可ＩＤファイル７０は、許可数７１と、ＮＦＣカードＩＤ７２と、を項目として有する。
【００５７】
許可数７１は、管理者により自機のハンディ端末３０が使用可能となりうることが許可されているＮＦＣカード５０の数である。許可数７１は、例えば、企業Ａの全社員数とする。ＮＦＣカードＩＤ７２は、許可数７１に対応するハンディ端末３０が使用可能であることが許可されているＮＦＣカード５０の識別情報である。ＮＦＣカードＩＤ７２は、例えば、全社員分のＮＦＣカード５０のＮＦＣカードＩＤが含まれるものとする。
【００５８】
また、ハンディ端末３０のＮＦＣメモリ３６３には、図４（ｃ）に示すＮＦＣ情報８０が記憶される。ＮＦＣ情報８０は、ＮＦＣカードＩＤ８１と、ハンディ端末ＩＤ８２と、ＩＤ許可フラグ８３と、管理ＰＣ許可フラグ８４と、を項目として有する。
【００５９】
ＮＦＣカードＩＤ８１は、ＮＦＣリーダライタ部３６２により読み取られたＮＦＣカード５０のＮＦＣカードＩＤである。ハンディ端末ＩＤ８２は、自機のハンディ端末３０の識別情報である。ＩＤ許可フラグ８３は、ＮＦＣカードＩＤ８１のＮＦＣカード５０を所有するユーザがハンディ端末ＩＤ８２のハンディ端末３０が使用可能となりうることを管理者（ハンディ端末３０）に許可されているか否かを示すフラグである。ＩＤ許可フラグ８３は、ハンディ端末３０が使用可能であることを許可されている場合にオンされ、許可されていない場合に、オフされる。
【００６０】
管理ＰＣ許可フラグ８４は、ＮＦＣカードＩＤ８１のＮＦＣカード５０を所有するユーザによるハンディ端末ＩＤ８２のハンディ端末３０の使用を管理者（管理ＰＣ１０）に許可されているか否かを示すフラグである。管理ＰＣ許可フラグ８４は、ハンディ端末３０の使用を許可されていない場合に“９”の値にされ、許可されている場合に“１”の値にされ、未設定の場合に“０”の値にされる。
【００６１】
また、管理ＰＣ１０の記憶部１５には、図４（ｄ）に示すカードＩＤ・ハンディ端末ＩＤファイル９０が記憶されている。カードＩＤ・ハンディ端末ＩＤファイル９０は、ハンディ端末ＩＤ９１と、許可数９２と、ＮＦＣカードＩＤ９３と、を項目として有する。
【００６２】
ハンディ端末ＩＤ９１は、管理者による使用許可の対象のハンディ端末３０の識別情報である。許可数９２は、管理者によりハンディ端末ＩＤ９１のハンディ端末３０の使用が許可されているＮＦＣカード５０の数である。許可数９２は、例えば、企業Ａの全社員のうちの所定のグループの社員数であるものとする。ＮＦＣカードＩＤ９３は、管理者によりハンディ端末ＩＤ９１のハンディ端末３０の使用が許可されている社員が所有するＮＦＣカード５０の識別情報である。
【００６３】
また、管理ＰＣ１０の記憶部１５には、図４（ｅ）に示すハンディ端末使用状況ファイル１００が記憶されている。ハンディ端末使用状況ファイル１００は、ハンディ端末ＩＤ１０１と、使用中フラグ１０２と、ＮＦＣカードＩＤ１０３と、を項目として有する。
【００６４】
ハンディ端末ＩＤ１０１は、使用状況管理対象のハンディ端末３０の識別情報である。即ち、ハンディ端末ＩＤ１０１によって、どのハンディ端末であるかを知ることができる。
使用中フラグ１０２は、ハンディ端末ＩＤ１０１のハンディ端末３０が使用中か否かを示す情報である。使用中フラグ１０２は、ハンディ端末３０が使用中の場合にオンされ、ハンディ端末３０が使用中でない（使用した後の）場合に、オフされる。即ち、使用中フラグ１０２がオンかオフかによって、ハンディ端末ＩＤ１０１に対応するハンディ端末３０が使用中か否かを知ることができる。
ＮＦＣカードＩＤ１０３は、使用中フラグ１０２に対応し、ハンディ端末ＩＤ１０１のハンディ端末３０を使用する（又は使用した）社員が所有するＮＦＣカード５０の識別情報である。即ち、ＮＦＣカードＩＤ１０３によって、どの社員がハンディ端末を使用しているかを知ることができる。
【００６５】
次に、図５〜図８を参照して、ハンディ端末管理システム１の動作を説明する。図５に、ハンディ端末３０で実行されるハンディ端末動作許可処理を示す。図６に、管理ＰＣ１０で実行されるハンディ端末管理処理を示す。図７に、ハンディ端末３０で実行されるハンディ端末使用終了処理を示す。図８に、管理ＰＣ１０で実行されるハンディ端末使用終了管理処理を示す。
【００６６】
先ず、図５を参照して、ハンディ端末３０で実行されるハンディ端末動作許可処理を説明する。予め、ＮＦＣカード５０のＮＦＣメモリ５１にＮＦＣカードＩＤ６１が記憶され、ハンディ端末３０のフラッシュメモリ３７にカード許可ＩＤファイル７０が記憶され、管理ＰＣ１０の記憶部１５にカードＩＤ・ハンディ端末ＩＤファイル９０が記憶されているものとする。
【００６７】
ハンディ端末３０において、例えば、操作部３２を介して、ユーザ（ハンディ端末３０を使用しようとする社員等）からハンディ端末動作許可処理の実行指示が入力されたことをトリガとして、ＲＯＭ３５から読み出されて適宜ＲＡＭ３３に展開されたハンディ端末動作許可プログラムと、ＣＰＵ３１との協働により、ハンディ端末動作許可処理が実行される。
【００６８】
図５に示すように先ず、ハンディ端末３０の動作モードが、リーダライタモードに設定される（ステップＳ１１）。リーダライタモードとは、ハンディ端末３０のＮＦＣ部３６がリーダライタとして動作するモードであり、ＮＦＣリーダライタ部３６２を介してＮＦＣカード５０等の情報を読み取り又は書き込みするモードである。ステップＳ１１では、例えば、表示部３４に、リーダライタモードの設定により、ＮＦＣカード５０をハンディ端末３０にかざす旨の指示情報(例えば「ＮＦＣカードをＮＦＣ部に近づけてください」等のメッセージ)が表示される。この指示情報の表示がユーザに参照され、このユーザにより、このユーザ所有のＮＦＣカード５０がＮＦＣ部３６へ非接触通信可能な距離に近づけられる。
【００６９】
そして、ＮＦＣアンテナ３６１及びＮＦＣリーダライタ部３６２を介してＮＦＣカード５０のＮＦＣメモリ５１に記憶されているＮＦＣカードＩＤ６１が読み取られる（ステップＳ１２）。そして、フラッシュメモリ３７に記憶されているカード許可ＩＤファイル７０が読み出される（ステップＳ１３）。
【００７０】
そして、ステップＳ１２で読み取られたＮＦＣカードＩＤが、ステップＳ１３で読み出されたカード許可ＩＤファイル７０のＮＦＣカードＩＤ７２にあるか否かが判別される（ステップＳ１４）。ステップＳ１２で読み取られたＮＦＣカードＩＤがＮＦＣカードＩＤ７２にない場合（ステップＳ１４；ＮＯ）、ＮＦＣカード５０を所有するユーザによるハンディ端末３０の使用が管理者（管理ＰＣ１０）に許可されておらず、自機のハンディ端末３０にユーザ使用による動作を許可しない設定がなされ（ステップＳ１５）、ハンディ端末動作許可処理が終了する。ステップＳ１５の後、使用されたＮＦＣカード５０所有のユーザは、ハンディ端末３０を使用できない。
【００７１】
ステップＳ１２で読み取られたＮＦＣカードＩＤがＮＦＣカードＩＤ７２にある場合（ステップＳ１４；ＹＥＳ）、ＮＦＣカード５０を所有するユーザによるハンディ端末３０が使用可能となりうることが許可されており、ＲＯＭ３５に記憶されているハンディ端末ＩＤが読み出され、ステップＳ１２で読み取られたＮＦＣカードＩＤと、読み出されたハンディ端末ＩＤと、ＮＦＣカード５０によりハンディ端末３０が使用可能となりうることが許可されている旨とが、ＮＦＣ情報８０のＮＦＣカードＩＤ８１と、ハンディ端末ＩＤ８２と、ＩＤ許可フラグ８３（オン）として対応付けられてＮＦＣメモリ３６３に記憶される（ステップＳ１６）。そして、ＮＦＣメモリ３６３内のＮＦＣ情報８０の管理ＰＣ許可フラグ８４に０がセットされる（ステップＳ１７）。
【００７２】
そして、ハンディ端末３０の動作モードが、カードモードに設定される（ステップＳ１８）。カードモードとは、ハンディ端末３０のＮＦＣ部３６がＮＦＣカードとして動作するモードであり、ＮＦＣアンテナ３６１を介してＮＦＣメモリ３６３の情報が管理ＰＣ１０により読み取られ又は書き込みされるモードである。
【００７３】
そして、カードモードの設定により、ハンディ端末３０を管理ＰＣ１０にかざす旨の指示情報(例えば「ハンディ端末を管理ＰＣのＮＦＣリーダライタに近づけてください」等のメッセージ)が、表示部３４に表示される（ステップＳ１９）。ステップＳ１９で表示された指示情報がユーザに参照され、このユーザにより、ハンディ端末３０のＮＦＣ部３６がＮＦＣリーダライタ２０へ非接触通信可能な距離に近づけられる。
【００７４】
そして、ＮＦＣ情報８０の管理ＰＣ許可フラグ８４が参照され、“１（許可）”又は“９（不許可）”であるか否かが判別される（ステップＳ２０）。ステップＳ２０は、管理ＰＣ１０におけるハンディ端末管理処理により、管理ＰＣ許可フラグ８４が“０（未設定）”から“１”又は“９”に変更されるのを待つステップである。
【００７５】
管理ＰＣ許可フラグ８４が“０”である場合（ステップＳ２０；ＮＯ）、ステップＳ２０に移行される。管理ＰＣ許可フラグ８４が“１”又は“９”である場合（ステップＳ２０；ＹＥＳ）、管理ＰＣ許可フラグ８４が参照され、“１”であるか否かが判別される（ステップＳ２１）。
【００７６】
管理ＰＣ許可フラグ８４が“９”である場合（ステップＳ２１；ＮＯ）、ステップＳ１５に移行される。管理ＰＣ許可フラグ８４が“１”である場合（ステップＳ２１；ＹＥＳ）、自機のハンディ端末３０にユーザ使用による動作を許可する設定がなされ（ステップＳ２２）、ハンディ端末動作許可処理が終了する。ステップＳ２２の後、使用されたＮＦＣカード５０所有のユーザは、ハンディ端末３０を使用できなくなる。
【００７７】
次いで、図６を参照して、管理ＰＣ１０で実行されるハンディ端末管理処理を説明する。ハンディ端末管理処理は、上記ハンディ端末動作許可処理と並行して実行される。また、予め、記憶部１５に、カードＩＤ・ハンディ端末ＩＤファイル９０、ハンディ端末使用状況ファイル１００が記憶されているものとする。
【００７８】
管理ＰＣ１０において、例えば、操作部１２を介して、ハンディ端末３０の管理者からハンディ端末管理処理の実行指示が入力され、ＮＦＣリーダライタ２０により、非接触通信が可能な距離に近づけられたハンディ端末３０が検出されたことをトリガとして、記憶部１５から読み出されて適宜ＲＡＭ１３に展開されたハンディ端末管理プログラムと、ＣＰＵ１１との協働により、ハンディ端末管理処理が実行される。
【００７９】
図６に示すように先ず、ＮＦＣリーダライタ２０を介して、ハンディ端末３０のＮＦＣメモリ３６３に記憶されているＮＦＣ情報８０が読み取られる（ステップＳ３１）。そして、ステップＳ３１で読み取られたＮＦＣ情報８０のＩＤ許可フラグ８３がオンにされているか否かが判別される（ステップＳ３２）。ＩＤ許可フラグ８３がオフにされている場合（ステップＳ３２；ＮＯ）、ハンディ端末動作許可処理のステップＳ２０に対応して、ＮＦＣリーダライタ２０を介して、ＮＦＣメモリ３６３のＮＦＣ情報８０の管理ＰＣ許可フラグ８４に“９”が書き込まれ（ステップＳ３３）、ハンディ端末管理処理が終了する。
【００８０】
ＩＤ許可フラグ８３がオンにされている場合（ステップＳ３２；ＹＥＳ）、記憶部１５に記憶されているカードＩＤ・ハンディ端末ＩＤファイル９０が読み出される（ステップＳ３４）。そして、ステップＳ３１で読み取られたＮＦＣ情報８０のＮＦＣカードＩＤ８１、ハンディ端末ＩＤ８２の組合せが、ステップＳ３４で読み出されたカードＩＤ・ハンディ端末ＩＤファイル９０にＮＦＣカードＩＤ９３、ハンディ端末ＩＤ９１の組合せとして登録されているか否かが判別される（ステップＳ３５）。
【００８１】
ＮＦＣカードＩＤ、ハンディ端末ＩＤの組合せが登録されていない場合（ステップＳ３５；ＮＯ）、ステップＳ３３に移行される。ＮＦＣカードＩＤ、ハンディ端末ＩＤの組合せが登録されている場合（ステップＳ３５；ＹＥＳ）、ハンディ端末動作許可処理のステップＳ２０に対応して、ＮＦＣリーダライタ２０を介して、ＮＦＣメモリ３６３のＮＦＣ情報８０の管理ＰＣ許可フラグ８４に“１”が書き込まれる（ステップＳ３６）。
【００８２】
そして、記憶部１５に記憶されているハンディ端末使用状況ファイル１００において、ステップＳ３１で読み取られたハンディ端末ＩＤ８２に対応するハンディ端末１０１の使用中フラグ１０２がオンされ、同じく対応するＮＦＣカードＩＤ１０３に、ステップＳ３１で読み取られたＮＦＣカードＩＤ８１が書き込まれて更新され、更新後のハンディ端末使用状況ファイル１００の内容が表示部３４に表示される（ステップＳ３７）。
このステップＳ３７の処理によって、更新されたハンディ端末使用状況ファイル１００の内容が表示部３４に表示されるので、管理ＰＣ１０のユーザ(管理者)は、ハンディ端末の使用状況を知ることができる。即ち、ハンディ端末使用状況ファイル１００は、図４（ｅ）に示すように、ハンディ端末ＩＤ１０１と、使用中フラグ１０２と、ＮＦＣカードＩＤ１０３を記憶しているので、ハンディ端末使用状況ファイル１００の内容を表示部３４に表示することによって、どのハンディ端末を誰が使用中であるかを知ることができる。ステップＳ３７の後、ハンディ端末管理処理が終了する。
【００８３】
次いで、図７を参照して、ハンディ端末３０で実行されるハンディ端末使用終了処理を説明する。ハンディ端末使用終了処理は、ハンディ動作許可処理により動作（使用）が許可された場合に、ユーザによりハンディ端末３０が使用（動作）され、その使用後に実行される。
【００８４】
ハンディ端末３０において、例えば、操作部３２を介して、ユーザ（ハンディ端末３０を使用した社員）からハンディ端末動作許可処理の実行指示が入力されたことをトリガとして、ＲＯＭ３５から読み出されて適宜ＲＡＭ３３に展開されたハンディ端末使用終了プログラムと、ＣＰＵ３１との協働により、ハンディ端末使用終了処理が実行される。
【００８５】
図７に示すように先ず、ハンディ端末３０の動作モードが、カードモードに設定される（ステップＳ４１）。そして、カードモードの設定により、ハンディ端末３０を管理ＰＣ１０にかざす旨の指示情報(例えば「ハンディ端末を管理ＰＣのＮＦＣリーダライタに近づけてください」等のメッセージ)が、表示部３４に表示される（ステップＳ４２）。ステップＳ４２で表示された指示情報がユーザに参照され、このユーザにより、ハンディ端末３０のＮＦＣ部３６がＮＦＣリーダライタ２０へ非接触通信可能な距離に近づけられる。
【００８６】
そして、ＮＦＣ情報８０の管理ＰＣ許可フラグ８４が参照され、“０”であるか否かが判別される（ステップＳ４３）。ステップＳ４３は、管理ＰＣ１０におけるハンディ端末使用終了管理処理により、管理ＰＣ許可フラグ８４が“１”から“０”に変更されるのを待つステップである。
【００８７】
管理ＰＣ許可フラグ８４が“１”である場合（ステップＳ４３；ＮＯ）、ステップＳ４３に移行される。管理ＰＣ許可フラグ８４が“０”である場合（ステップＳ４３；ＹＥＳ）、ハンディ端末使用終了処理が終了する。ハンディ端末使用終了の終了後、使用されたＦＮＣカード５０を所有するユーザは、ハンディ端末３０を使用できない。
【００８８】
次いで、図８を参照して、管理ＰＣ１０で実行されるハンディ端末使用終了管理処理を説明する。ハンディ端末使用終了管理処理は、上記ハンディ端末使用終了処理と並行して実行される。
【００８９】
管理ＰＣ１０において、例えば、操作部１２を介して、ハンディ端末３０の管理者からハンディ端末使用終了管理処理の実行指示が入力され、ＮＦＣリーダライタ２０により、非接触通信が可能な距離に近づけられたハンディ端末３０が検出されたことをトリガとして、記憶部１５から読み出されて適宜ＲＡＭ１３に展開されたハンディ端末使用終了管理プログラムと、ＣＰＵ１１との協働により、ハンディ端末使用終了管理処理が実行される。
【００９０】
図８に示すように先ず、ＮＦＣリーダライタ２０を介して、ハンディ端末３０のＮＦＣメモリ３６３に記憶されているＮＦＣ情報８０のＮＦＣカードＩＤ８１及びハンディ端末ＩＤ８２が読み取られる（ステップＳ５１）。そして、記憶部１５に記憶されているハンディ端末使用状況ファイル１００において、ステップＳ５１で読み取られたＮＦＣカードＩＤ８１及びハンディ端末ＩＤ８２に対応するＮＦＣカードＩＤ１０３及びハンディ端末ＩＤ１０１に対応する使用中フラグ１０２がリセット（オフ（使用中で無い状態）に）され、更新後のハンディ端末使用状況ファイル１００の内容が表示部３４に表示される（ステップＳ５２）。
このステップＳ５２の処理によって、使用中フラグ１０２がリセットされたハンディ端末使用状況ファイル１００の内容が表示部３４に表示されるので、管理ＰＣ１０のユーザ(管理者)は、ハンディ端末の使用状況を知ることができる。即ち、ハンディ端末使用状況ファイル１００は、図４（ｅ）に示すように、ハンディ端末ＩＤ１０１と、使用中フラグ１０２と、ＮＦＣカードＩＤ１０３を記憶しているので、ハンディ端末使用状況ファイル１００の内容を表示部３４に表示することによって、どのハンディ端末を誰が使用しなくなったか(使用を終了したか)を知ることができる。
【００９１】
そして、ハンディ端末使用終了処理のステップＳ４３に対応して、ＮＦＣリーダライタ２０を介して、ＮＦＣメモリ３６３のＮＦＣ情報８０の管理ＰＣ許可フラグ８４に“０”が書き込まれ（ステップＳ５３）、ハンディ端末使用終了管理処理が終了する。
【００９２】
以上、本実施の形態によれば、ハンディ端末３０は、ＮＦＣリーダライタ部３６２によりＮＦＣカード５０のＮＦＣカードＩＤを読み取り、当該読み取られたＮＦＣカードＩＤがカード許可ＩＤファイル７０のＮＦＣカードＩＤ７２に記憶されているか否かを判別する。ハンディ端末３０は、読み取られたＮＦＣカードＩＤが記憶されている場合に、ＮＦＣカード５０のＮＦＣカードＩＤ、自機のハンディ端末ＩＤ、及び前記ＮＦＣカードＩＤを許可するＩＤ許可フラグを含むＮＦＣ情報８０をＮＦＣメモリ３６３に記憶する。
【００９３】
管理ＰＣ１０は、ＮＦＣリーダライタ２０によりＮＦＣメモリ３６３からＮＦＣ情報８０を読み取り、当該読み取られたＩＤ許可フラグ８３が許可であり、且つ前記読み取られたＮＦＣカードＩＤ８１及びハンディ端末ＩＤ８２の組合せがカードＩＤ・ハンディ端末ＩＤファイル９０に記憶されているか否かを判別する。管理ＰＣ１０は、ＩＤ許可フラグ８３が許可であり且つＮＦＣカードＩＤ８１及びハンディ端末ＩＤ８２の組合せが記憶されている場合に、ＮＦＣリーダライタ２０によりＮＦＣメモリ３６３にハンディ端末３０の動作の許可の旨の管理ＰＣ許可フラグ８４を書き込み、それ以外の場合に、ＮＦＣリーダライタ２０によりＮＦＣメモリ３６３にハンディ端末３０の動作の不許可の旨の管理ＰＣ許可フラグ８４を書き込む。ハンディ端末３０は、ＮＦＣメモリ３６３に記憶される自機の動作の許可又は不許可を示す管理ＰＣ許可フラグ８４に応じて、自機の動作を許可又は不許可する。
【００９４】
このため、ハンディ端末３０とＮＦＣカード５０との組合せについて認証を行うことができる。また、ハンディ端末３０と、管理ＰＣ１０とで、二重に、ユーザによるハンディ端末３０の使用（動作）を認証でき、ハンディ端末３０の使用におけるセキュリティを高めることができる。
【００９５】
また、管理ＰＣ１０は、管理ＰＣ許可フラグ８４の使用許可への変更に応じて、記憶部１５に記憶されているハンディ端末使用状況ファイル１００において、使用許可されたＮＦＣカードＩＤ８１及びハンディ端末ＩＤ８２に対応する使用中フラグ１０２を使用中に変更する。このため、ＮＦＣカード５０の所有者によるハンディ端末３０の使用中の状況を確実に管理できる。
【００９６】
また、管理ＰＣ１０は、ハンディ端末３０の使用終了後に、ＮＦＣメモリ３６３からＮＦＣカードＩＤ８１及びハンディ端末ＩＤ８２を読み取り、当該読み取られたＮＦＣカードＩＤ８１及びハンディ端末ＩＤ８２の組合せに対応するハンディ端末使用状況ファイル１００の使用中フラグ１０２を動作中でない状態に変更し、ハンディ端末３０のＮＦＣメモリ３６３に記憶されている管理ＰＣ許可フラグ８４に使用許可の未設定の旨を書き込む。このため、ＮＦＣカード５０の所有者によるハンディ端末３０の使用終了の状況を確実に管理できる。
【００９７】
また、管理ＰＣ１０は、ハンディ端末使用状況ファイル１００の内容を表示する。このため、管理者は、ＮＦＣカード５０の所有者によるハンディ端末３０の使用状況を目視により確実に把握できる。
【００９８】
なお、上記実施の形態における記述は、本発明に係る携帯端末管理システムの一例であり、これに限定されるものではない。
【００９９】
例えば、上記実施の形態では、ＮＦＣカードＩＤとユーザの識別情報（社員番号）とが、一対一の関係であるとしたが、これに限定されるものではない。例えば、ユーザの識別情報は、学校における学籍番号等、他の一対一の関係の識別情報としてもよい。また、ユーザの識別情報は、企業のグループ（部署、課等）で共通のＮＦＣカードを使用する場合のグループの識別情報等とし、ＮＦＣカードＩＤとユーザの識別情報とが一対複数の関係であることとしてもよい。
【０１００】
また、上記実施の形態におけるハンディ端末管理システム１の各構成要素の細部構成及び細部動作に関しては、本発明の趣旨を逸脱することのない範囲で適宜変更可能であることは勿論である。
【符号の説明】
【０１０１】
１  ハンディ端末管理システム
１０  管理ＰＣ
１１  ＣＰＵ
１２  操作部
１３  ＲＡＭ
１４  表示部
１５  記憶部
１６  Ｉ／Ｆ部
１７  通信部
１８  バス
２０  ＮＦＣリーダライタ
２１  ＮＦＣリーダライタ部
２２  ＮＦＣアンテナ
３０  ハンディ端末
３１  ＣＰＵ
３２  操作部
３３  ＲＡＭ
３４  表示部
３５  ＲＯＭ
３６  ＮＦＣ部
３６１  ＮＦＣアンテナ
３６２  ＮＦＣリーダライタ部
３６３  ＮＦＣメモリ
３７  フラッシュメモリ
３８  スキャナ部
３９  Ｉ／Ｆ部
４０  バス
５０  ＮＦＣカード
５１  ＮＦＣメモリ
５２  ＮＦＣアンテナ
【図１】
2011008458.tif 000003
【図２】
2011008458.tif 000004
【図３】
2011008458.tif 000005
【図４】
2011008458.tif 000006
【図５】
2011008458.tif 000007
【図６】
2011008458.tif 000008
【図７】
2011008458.tif 000009
【図８】
2011008458.tif 000010